Podtech/llm-jp-corpus-v4-ja_patent huggingface dataset:
(57)【要約】【課題】  水力を利用した天秤方式を応用したエネルギー発生方法を提供する。【解決手段】  高低差を設け、水を入れるバケットを数段に配し、ワイヤーで天秤式に均衡を保つように設け、バケットの水を移すことによりバケットを上下させ、この動きによって作動杆を上下に回動させて油圧シリンダーに運動量を蓄積し、この油圧を利用してエネルギーの発生を計りこれを駆動源とする。【選択図】図１
2008274916.tif 000002
【特許請求の範囲】
【請求項１】
水を収納するバケットを１〜ｎ個高低差を設けて数段に配し、ワイヤーと滑車によってバランスを保つように作動杆を配して全体を天秤構造とし、初めにバケット１に水を入れ、該バケット１の水をバケット２に移すことによって生じるバケット２の降下と作動杆の上昇によって生じるエネルギーを作動杆の基部に設けた油圧シリンダーに蓄積し、このバケット１〜ｎの行動を繰返して行うことを特徴とした水力を利用するエネルギーの発生方法。
【請求項２】
バケット１〜ｎの操作の中で不足する水をバケットに給水することを特徴とした請求項１に記載の水力を利用するエネルギーの発生方法。
【請求項３】
バケット１〜ｎの操作の中でバケットの大きさを順次大きくすることを特徴とした水力を利用するエネルギーの発生方法。
【発明の詳細な説明】
【技術分野】
【０００１】  本発明は、水の高低差によって生じる力を天秤の作用によって伝え、これを繰返すことによってエネルギーを油圧シリンダーに蓄積する水力を利用するエネルギー発生方法に関する。
【背景技術】
【０００２】  水力の高低差を利用するエネルギー方式としては水力発電がある。この水力発電は、水の力学的エネルギーを利用して水車を回し、この機械的エネルギーで発電機を運転して電力を発生させる発電方式である。この水力発電は設備が大掛りとなるが完成すれば水の力を利用するのみで維持費が特にかからないという利点がある。
【特許文献１】  特開２００１−１１５９４２号公報
【発明の開示】
【発明が解決しようとする課題】
【０００３】  水の落差や河川の流速を利用する従来の発電装置は大掛りな設備を要する難がある。また前記公知例は、水路のあるところでも利用できる小形の発電装置であって、シーソーの原理を利用した発電装置であるが、シーソーの原理のみでは電力的に不安がある。
【課題を解決するための手段】
【０００４】  発明者は、水を利用したエネルギー発生について、永年研究を重ねた結果本発明に到達したものであって、本発明は僅かな高低差と、天秤の作用を利用することによって、発生するエネルギーを油圧シリンダーに蓄積し、この操作を繰返すことによって、油圧シリンダーに蓄積されるエネルギーは大きくなり、発電はもとより種々の駆動源として利用が可能となった。
【発明の効果】
【０００５】  本発明は、小さな河川や傾斜地などの利用が可能で、水を収納するバケットを高低差をつけて数段に配し、この水を順にバケット内に流入して、水の重量によるバケットの上下を利用し、天秤作用をする作動杆の上下動を油圧シリンダーに蓄積するもので、装置としては簡単であり、バケットの数を増すこと、バケットの容量を大きくすることによってエネルギーの蓄積も大きくなり、発電はもとよりあらゆる動力源として利用できるため本発明の利用・応用効果はきわめて顕著である。
【実施例】
【０００６】  添付図面により本発明の実施例を説明すると、図１は本発明の水力を利用するエネルギー発生方法を示す実施例であって、水を収納するバケットを１，２，３…ｎ個高低差を設けて数段に配置する。但し本図においては作図上バケットは１，２，３個のみ記載してある。【０００７】  このバケットは滑車（１０），（１０）を介してワイヤー（１２）に接続され他端には作動杆（１５）が設けられていて、空のバケットと作動杆（１５）の間はバランスが保たれている。作動杆（１５）は台座（２０）に回動可能に軸着（２１）されていて、作動杆（１５）の基部には油圧シリンダー（３０）が設けられてる。【０００８】  各バケット１，２…ｎは上面が開放型の箱体で底部に底蓋（２５）を設けると共に箱体の上端に水受け板（２７）と突上げ棒（２６）が設けてあって、上方に位置される満水のバケットの底蓋（２５）を突上げ、水を水受け板（２７）を介して箱体内に受け入れる。【０００９】  本発明のエネルギー発生作用を図により説明すると、先ずバケット１に水源より水を引き入れ満水とする。そして下方に位置されているバケット２の突上げ棒（２６）がバケット１の底蓋（２５）を突上げ開放すると水は一気に水受け板（２７）を介してバケット２に流入する。このときバケット２は水の重量によって図示のバケット２−２の位置に下る。するとワイヤー（１２）の他端にある作業杆（１５）引き上げられる。【００１０】  このバケット２−２の位置についたとき、下方にあるバケット３の突上げ棒（２６）がバケット１−１の底蓋（２５）を開放して水をバケット３内に受入れ、この水の重量によってバケット３は図のバケット３−３の位置に下がり、ワイヤー（１２）の作用によって作動杆（１５）が上昇して油圧シリンダー（３０）が作動する。【００１１】  そして、この操作をバケット４、バケット５、…バケットｎと繰返すことによってエネルギーが蓄積されて種々の駆動源として利用できる。【００１２】  またこの操作中に水が振動や揺動によって少くなったときには加水することもでき、さらにバケットの容量を順次大型としてエネルギーの蓄積を増大することも可能である。
【産業上の利用可能性】
【００１３】  本発明は、小さな河川や傾斜地などでの利用が可能で、しかも装置が簡単で安価なためこの利用度合は大である。
【図面の簡単な説明】
【００１４】
【図１】  本発明方法を実施するための実施例図
【符号の説明】
【００１５】  （１０）…滑車
（１２）…ワイヤー
（１５）…作動杆
（２０）…台座
（２１）…回転軸
（２５）…底蓋
（２６）…突上げ棒
（２７）…水受け板
（３０）…油圧シリンダー
【図１】
2008274916.tif 000003
(57)【要約】【課題】鮎の友ずりにおいて釣り糸はおとり鮎にとっておもりとなり動きを鈍らせてしまう、又風にあおられ舞う釣り糸もおとり鮎に負荷をかけて動きを鈍らせてしまう、釣果はあがらない。【解決手段】うきを使うことによって釣り糸の重さをうきに吸収させ、風にあおられて舞う釣り糸の負荷もうきに吸収させる、この事によりおとり鮎は限りなく自然に近い状態で泳ぐ事ができ釣果があがる。【選択図】図１
2008161167.tif 000002
【特許請求の範囲】
【請求項１】
釣り糸にうきを取り付けてその浮きを利用した鮎の友ずりである。
【発明の詳細な説明】
【技術分野】
【０００１】発明は、うきを使うことによって鮎の友ずりを容易に出来るようにするものである。
【背景技術】
【０００２】従来鮎の友ずりは、釣り糸が直接鮎の鼻につながっていたため鮎にとって釣り糸は重くおもりをつけて泳いでいるようなものであった、自由に鮎を泳がせて釣る友ずりにおいては欠点だった、又風の強い日には釣り糸が風に流されて鮎の泳ぎを悪くしていた。
【発明の開示】
【発明が解決しようとする課題】
【０００３】釣り糸の重さが直接おとり鮎にかからないように、又か風が吹いて釣り糸が風に流されてもおとり鮎の泳ぎに支障をきたさないように本発明は考え出された物である。
【課題を解決する為の手段】
【０００４】釣り糸２にうき３を取り付け釣り糸２｀を使って鮎につなぐ。
【発明の効果】
【０００５】おとり鮎にとって釣り糸はおもりをつけて泳いでいるようなもの、又釣糸が風に流されるとおとり鮎の泳ぎに支障をきたす、本発明のうきを使えば上記のような事は解決される。
【発明を実施するための最良の形態】
【０００６】以下、本発明の実施の形態を図面に基づき説明する。【０００７】図１は、本考案の使い方をわかりやすくする為の全体図である。釣竿１から釣り糸２をうき３につなぐ、こうすることによって釣り糸２の重さはうき３の部分で吸収される、風に流されて釣り糸が舞うようなことがあっても風の抵抗はうき３に吸収される、うき３からの釣り糸２｀でつながれたおとり鮎の泳ぎには、釣り糸の重さも風の抵抗も何ら影響を及ぼす事はない。【０００８】図３で、示すように浮きに４，４｀，５，５｀，６，６｀，７，７｀，８，８｀の穴をあけて４から順番に４｀、５｀、５、６、６｀、７｀、８、８｀、まで釣り糸を通してゆく、このようにして釣り糸を引き締めれば浮きと釣り糸は固定される、又浮きの４のところから釣り糸を通すことにより浮きが水面から放れるのを押さえる事ができる、又４から８｀まで通した釣り糸をゆるめることにより浮きした２｀の釣り糸の長さを切ることなく調整できる。
【実施例】
【０００９】釣り糸の重さ風による釣り糸の抵抗が、本発明のうきを使用する事によってそれらの欠点を吸収する事ができ、おとり鮎は限りなく自然の泳ぎをする、おとり鮎の泳ぎがいいので釣りの釣果もあがった。
【産業上の利用の可能性】
【００１０】鮎の友ずりにおける釣り糸には目印が必要である、どちらかといえば、高齢者の多い鮎の友ずり、小さな目印を１日中見ていること大変な事である、又逆光の場所では目印は見ぬくい、本発明のうきを使って釣る方法ならうきが目印となり高齢者においてもまだまだ楽しむ方ができ疲れず便利である。又本発明を使用すれば釣果もあがるので、全国で釣りをする人約１０００万人はいると言われている、本発明は単価は低いが市場性もあり産業上の利用価値は高い。
【図面の簡単な説明】
【００１１】
【図１】本発明の使用方法をわかりやすくする為の全体図である。
【図２】本発明の平面図である
【図３】本発明の側面図である。
【符号の説明】
【００１２】１、  釣竿
２、  釣り糸
２｀  釣り糸
３、  本発明のうき
４、４｀、５、５｀、６、６｀、７、７｀、８、８｀  釣り糸を通す穴
【図１】
2008161167.tif 000003
【図２】
2008161167.tif 000004
【図３】
2008161167.tif 000005
(57)【要約】【課題】本発明は、納豆が嫌いな人でも食べられる副食品の調味材である低カロリーでノンオイルの納豆ドレッシングを造ることを目的とする。【解決手段】柑橘系の果汁と昆布の旨み成分を添加したミネラルウォーターが６８〜７６重量％であり、酢が１２〜１６重量％、納豆が１２〜１６重量％である低カロリーなノンオイルの納豆ドレッシング。【特許請求の範囲】
【請求項１】
砂糖、塩など各種調味材を加えない段階で、納豆１２〜１６重量％、酢１２〜１６重量％、柑橘系果汁と昆布の旨み成分を添加したミネラルウォーター６８〜７６重量％であり、前記調味材を撹拌させ納豆臭をなくした食べ易い、粘らない、そして酢の作用により納豆菌を胞子状にし、食材にかけた時の納豆菌が活性化する納豆を使った低カロリーでノンオイルの納豆ドレッシング。
【発明の詳細な説明】
【技術分野】
【０００１】本発明は、納豆臭を抑え粘らず食べ易く、酢の抗菌作用により納豆菌を胞子化状にし食材にかけた時に納豆菌が活性化する納豆の特徴を生かしたノンオイル、低カロリーの健康増進に効果的な納豆ドレッシングに関する。
【背景技術】
【０００２】従来の納豆を使った加工食品は少なく、日持ちが良く、ナットウキナーゼやビタミンＫを摂取でき、納豆臭がほとんどなく、それにより納豆臭が嫌いな人でも容易に食べられるノンオイルの納豆ドレッシングはなかった。
【発明の開示】
【発明が解決しようとする課題】
【０００３】納豆が嫌いな人でも容易に食べられる、納豆臭がなくドロドロ又ネバネバ感がなく、しかも、納豆菌を多く含み納豆菌が胞子化状のものはない。【０００４】本発明はこのような従来の納豆の問題点を解決しようとするものであり、納豆が嫌いな人でも食べられる副食品の調味材であるノンオイルの納豆ドレッシングを作ることを目的とするものである。
【課題を解決するための手段】
【０００５】本発明は上記課題を解決するために鋭意検討を重ねた結果、本発明に至った。本発明は納豆１２〜１６重量％、酢１２〜１６重量％、柑橘系の果汁と昆布の旨み成分を添加したミネラルウォーター６８〜７６重量％を撹拌させて造った納豆臭のないドレッシングである。このドレッシングを茹でた豆にかけ２４時間放置しておくと豆が糸を引くようになる。このことから胞子状になっていた納豆菌が、食材にかけただけで活性化することが証明された。【０００６】本発明における納豆とは市販の粒でもひき割りでも良い。次に酢とは穀物醸造酢であるがそれは材料１つから製造される酢とは限らず２種類以上の穀物から醸造される酢も含まれる。ミネラルウォーターに添加する果汁としてはレモン、オレンジなどの柑橘系が好ましい。また同じく添加する昆布の旨み成分としては市販の昆布エキスでも良いが、天然の昆布からとった出し汁でも良い。これらのものは好みにより適宜調整して加える。【０００７】本発明の納豆の割合は１２〜１６重量％である。１２％より少ないと栄養素に欠け、１６％を超えると納豆臭が強くなるという欠点が生じる。【０００８】本発明の酢の割合は１２〜１６重量％である。１２％より少ないと納豆臭が消せず、１６％を超えると酸味が強くなるという欠点が生じる。【０００９】本発明の柑橘系の果汁と昆布の旨み成分を含むミネラルウォーターの割合は６８〜７６重量％であるが、６８％より少ないと酸味が強くまろやかさに欠ける。７６％を超えるとサラサラになりすぎコクがなくなる。【００１０】最初に納豆と酢をミキサーにかけペースト状にし柑橘系の果汁と昆布の旨み成分を添加したミネラルウォーターを加え合わせ同時に濃度調整を行う。実際に食する場合には塩、香辛料などを好みにより加えることも出来る。【００１１】また、長期保存のため、瓶詰めし、７５℃で１５分間の殺菌をすることにより雑菌が死滅し長期保存が可能となる。【００１２】上述したように、すなわち、本発明の納豆ドレッシングは納豆臭を抑えると共に、納豆菌を胞子状にし保存性を高め、さらに油分を使わず低カロリー、低脂肪で野菜やシーフードなどの食材にかけるだけで、納豆菌を活性化させナットウキナーゼやビタミンＫを容易に体内に摂取することが出来るということである。
【発明を実施するための最良の形態】
【００１３】以下、この発明の実施形態を説明するが、この実施形態に限定されるものではない。
【実施例】
【００１４】ミキサーに納豆１００ｇ、酢１００ｇを入れペースト状になるまでミキシングする。次に柑橘系果汁と昆布の旨み成分を添加したミネラルウォーター５１０ｇを数回に分けて加えミキシングする。さらに砂糖、塩、コショウを適量加え混合し、本発明のノンオイルの納豆ドレッシングを得た。このドレッシングを茹でた豆にかけ２４時間放置して置くと豆が糸を引くようになった。このことから胞子状になっていた納豆菌が食材にかけただけで活性化することが証明された。すなわち、このことから、納豆臭が嫌いな人でも容易に食することができ、食材にかけたときに納豆菌が活性化することから、納豆の持つ様々な体に良いとされる栄養分を丸ごと摂取出来る今までにない低カロリーなノンオイルの納豆ドレッシングである。
(57)【要約】【課題】  シフォンケーキ及びパウンドケーキの製造に際し、サラダ油やバター等の加工油脂類を使用しないで、自然素材を用いた低カロリーの洋菓子の製造法を提供する。【解決の手段】  サラダ油やバター等の加工油脂類及びベーキングパウダー等の添加剤を一切使用せず、その代替として特定の果実を用いる事により、従来のケーキに比べカロリーは３０％相当減少できる低カロリー洋菓子の製造法を提供するものである。このことによって、低カロリーで且つ自然の素材をベースとした洋菓子が製造されることで、幼児、高齢者及び病気療養中の人でも安全で安心して食しやすくなり、洋菓子自体の活用方法も幅が広がると期待できる。【選択図】なし【特許請求の範囲】
【請求項１】
洋菓子の製造に際し、サラダ油やバター等の加工油脂類を一切用いず、加工油脂類の代替としてアボカドを用いる事を特徴とする洋菓子の製造法。
【請求項２】
請求項１の洋菓子製造において、小麦粉１００重量部に対しアボカド３乃至１５重量部が配合される事を特徴とするシフォンケーキ及びバウンドケーキの製造法。
【発明の詳細な説明】
【技術分野】
【０００１】  本発明はメレンゲ系のケーキとして知られるシフォンケーキを製造する際に、サラダ油やバター等の加工油脂を一切使用せずに、特定の天然の果実を用いることにより現在食されている加工油脂で焼成したシフォンケーキと同等乃至はそれ以上の触感、食感、食味の良いシフォンケーキを製造することを特徴とするものである。
【背景技術】
【０００２】  シフォンケーキは“しっとり”“ふんわり”とした口当たりの良いケーキとして人気の高い、一般家庭でも気軽に手作りできるケーキである。斯かるシフォンケーキは、小麦粉、砂糖、ベーキングパウダーをボールに入れて撹拌した後、サラダ油、卵黄、牛乳（又は水）を入れ滑らかになるまで更に撹拌して、これに別のボールで卵白と砂糖を撹拌して泡立てたものを加え更に撹拌して得られた生地をシフォンの型に流し入れオーブンにて規定の温度で焼成することにより製造される。
【発明の開示】
【発明が解決しようとする課題】
【０００３】  しかしながら現在のシフォンケーキの製造においては、サラダ油を小麦粉１００重量部に対し６０乃至８０重量部と大量加える事でシフォンケーキの特徴といえる“しっとり”“ふんわり”とした口当たりの良いが高カロリーなケーキが製造され食されている。一方、社会の食に対する要求は、天然の素材で且つ低カロリーの食品を多く求めており洋菓子も例外とはいえない。現在、食の社会では安心、安全で健康に配慮した食品の商品開発が求められているといえる。
【課題を解決するための手段】
【０００４】  以上の課題を解決するために本発明者は、サラダ油やバターの代替材料として天然素材に的を絞り鋭意検討した結果、天然でしかも栄養価が高く手軽に食されている果実のアボカドに、サラダ油やバターと同じ油脂としての特性があることを発見し上記目的を達成したものである。
【発明の効果】
【０００５】  本発明のアボカドは、驚くべきことには極少量の使用で現在市販されているサラダ油を使用したシフォンケーキと同等乃至はそれ以上の触感、食感、食味を有する。【０００６】  また、得られたシフォンケーキのエネルギーは、現在市販されているサラダ油を使用したシフォンケーキに比べエネルギーが３０％減少でき、低カロリー化がはかれる。【０００７】  本発明で製造されたシフォンケーキは、天然の素材をベースとした低カロリーのケーキである事から、乳幼児、幼児、高齢者、病気療養者が安心して食しやすくなり家庭、病院、施設などへの利用が広がる。
【発明を実施するための最良の形態】
【０００８】  本発明において使用するアボカドは市販品で良く、熟成の程度は特にとわない。使用量は、小麦粉１００重量部に対し３乃至１５重量部を配合するのが好ましい。配合量がこれより少なくても多くてもシフォンケーキの特徴である触感、食感、食味が損なわれる。この発明の実施形態を実施例として下記に示す。
【実施例１】
【０００９】  下記配合量及び製造法により本発明のシフォンケーキを得た。
配合１  小麦粉（薄力粉）    ７０重量部
グラニュー糖          ５
牛乳                ６０
卵黄                ６０
アボカド              ５
配合２  卵白              １５０重量部
グラニュー糖        ６０
まず配合１の材料を、牛乳（又は水）と卵黄をボールに入れ撹拌し良くかき混ぜ合わせた後、小麦粉とグラニュー糖を加え更に撹拌して混ぜ合わせ調整する。次に配合２の材料を、別のボールで卵白とグラニュー糖を混ぜ撹拌し白っぽくなる迄泡立たせてメレンゲを形成調整する。続いて先に調整した配合１のボールに、配合２のメレンゲを加え更に撹拌してケーキの生地を得る。このケーキの生地を直径１７ｃｍのシフォンケーキの型に入れオーブンにて１８０℃で２０分間焼成した。【００１０】  焼成して得られたシフォンケーキについて外観、触感、食感並びに食味について下記の表１の評価基準に従って評価した。その評価基準にて評価した結果を表２に示した。【００１１】  評価基準
【表１】
2008161161.tif 000002
【００１２】  評価結果
【表２】
2008161161.tif 000003
【実施例２】
【００１３】  実施例２は、アボカド配合量の上限値の代表的な配合実施例である。
【実施例３】
【００１４】  実施例３は、アボカド配合量が過多の配合実施例である。
【実施例４】
【００１５】  実施例４は、アボカド配合量の最適値の配合実施例である。
【比較例１】
【００１６】  比較例１は、サラダ油を用いたシフォンケーキの代表的な配合事例でありこの配合で実施例１〜４と同一条件下でシフォンケーキを試作し比較例とした。
【００１７】  表２から実施例１，２，４のアボカドを用いたシフォンケーキは、比較例１サラダ油を用いたシフォンケーキに比べ遜色なくシフォンケーキ本来の“しっとり”“ふんふわ”して口当たりが良く滑らかなケーキが得られた。驚くべきことには、比較例１のサラダ油を用いたシフォンケーキは僅かであるが油の臭いが感じられたが、実施例１，２，４のアボカドを用いたシフォンケーキは、アボカド特有の青臭みが全くなく素材本来の風味の匂いがそのまま保持されており試食会では大好評であった。さらにはサラダ油で製造された市販品との試食会を行ったところ、前述と同じくアボカドを用いた製品が大変好評を得た。
【００１８】  さらには、本発明の製品は、小麦粉、砂糖、牛乳、卵、及びアボカド（果実）と、全て天然の素材をベースとして製造され、且つ低カロリーのケーキが提供出来たことで、安全で安心な健康食品として多くの人の共感を得た。
【００１９】  本発明はシフォンケーキ以外にパウンドケーキにも応用できる。パウンドケーキの製造は、小麦粉とバターの重量比が一般的には１対１の配合で製造されているが、本発明のアボカドを用いる場合は、シフォンケーキと同じ配合比でパウンドケーキを製造することができる事を確認した。
【００２０】  本発明によると、アボカドの許容範囲は小麦粉１００重量部に対し３〜１５重量部で、好ましくは４〜１０重量部である。アボカド３重量部以下ではケーキがパサ付き、１５重量部以上ではケーキがベト付きケーキ本来の風味が損なわれる。
(57)【要約】      （修正有）【課題】身体を横たえた状態で、遠赤外線による癌に対する温熱治療が簡単かつ安全にできるＡＣＦ癌温熱療法マットを提供する。【解決手段】炭素繊維を使用したマット本体の中央部に、細長い凹型のくぼみを付け、そのくぼみに炭素繊維を使用した複数の小パッド１と、電気による発熱体を配した炭素繊維シートとアルミ箔等で構成された、幅の広い加温用パッド３を組み合わせて装着する。この上に身体を横たえ、加温用パッドを身体にに巻き付けて加温する。数個の小パッド１と加温用パッド３の組み替えて装着することにより、加温する位置を変更することができる。【選択図】図７
2008161632.tif 000002
【特許請求の範囲】
【請求項１】
炭素繊維を使用したマットレスパッドの中央部に細長い凹型のくぼみを付け、そのくぼみにはめ込むように設計された炭素繊維を使用した小パッドと、電気による発熱体を配した炭素繊維シートとアルミ箔でできた加温用パッドで構成されたＡＣＦ癌温熱療法マット。
【請求項２】
炭素繊維に通電して発熱させた加温パッドを使用した、請求項１のＡＣＦ癌温熱療法マット。
【発明の詳細な説明】
【発明の詳細な説明】
【技術分野】
【０００１】炭素繊維を加温すると遠赤外線を発することは科学的に証明されている。
遠赤外線は水に浸透して熱を伝達する特性があって皮下深層部の温度を上昇させる作用があるとともに、皮下の微細血管の血液中の水分に吸収されて血液を加温させる効果がある。加温された血液は循環して癌組織が存在する部位の温度を上昇させる。
癌細胞は熱に弱いことから、加温された癌細胞は酸素濃度が低下し、乳酸が蓄積されて変性を起こして死滅する。
本発明は、安全で簡便な方法により、炭素繊維を加温又は発熱させ、これにより発する温熱を有する遠赤外線により体温を上昇させて癌の進行や転移を抑制するものである。
【背景技術】
【０００２】癌治療には、薬物治療、手術、放射線治療、重粒子治療等が行われているが、いずれも患者には肉体的、精神的、経済的苦痛や負担が大きく、かつリスクの高い治療法であり、本発明のような簡単で安全で、家庭でも行えるような治療法はなかった。
【考案が解決しようとする課題】
【０００３】安全かつ簡単で、リスクの少ない癌の治療方法として、温熱による療法が効果的である。癌細胞は、約４２．５℃の温度を３時間程度の加えると変成が始まって死滅する特性があり、それ以下の温度であっても、加温することにより免疫力が増加して癌の進行や転移を抑制する。
遠赤外線をこの加温の手段としたのが本発明であり、炭素繊維による遠赤外線の利用を、簡便な方法で実現した。
【課題を解決する為の手段】
【０００４】  上記の課題を解決するために、炭素繊維を加温するか発熱させ、炭素繊維の発する加温された遠赤外線をもって治療する安全で軽便な癌温熱療法マットを発明した。
その構成を説明すると、
（イ）標準的なシングルベッドと同程度の面積を有する、本体となるマットの中央部に、幅４０ｃｍ程度、長さ１７５ｃｍ程度の細長い凹型のくぼみ（以下、くぼみと称する）を設ける。くぼみの底辺の幅の両辺に、長さに沿って細長くマジックテープ（商品名）を縫着する。
くぼみ以外は、表地と裏地の間に中綿を置き、中綿の中間に炭素繊維を挟む五層の構成にする。
（ロ）くぼみにはめ込む小パッドをつくる。このパッドの幅はくぼみの幅と同一にし、長さはくぼみの長さの五分の一から五分の二程度のもの複数枚を要する。
全体の構成は、表地と裏地の間に中綿を置き、中綿の中間に炭素繊維を挟む五層の構成にし、裏側（底部）の幅の両脇に、長さに沿ってマジックテープ（商品名）を縫着し、本体のマットに固定できるようにする。
（ハ）さらに長さがくぼみの五分の一程度で、幅が１５０ｃｍ程度の翼状の加温用パッド１枚をつくる。
このパッドの構成は、表地と裏地の間に中綿を置き、中綿の中間にニクロム線等の電気による発熱体を配した炭素繊維と、その下側に紙状のアルミ箔をを挟む６層の構成にする。なお、底部外側の中心部に、くぼみに縫着してあるマジックテープ（商品名）に固定できるように、２条のマジックテープ（商品名）を縫着する。
熱源となる電気は、電気コードにより直接電源より取り入れ、温度並びに使用時間が設定できるコントローラー（Ｃｏｎｔｒｏｌｌｅｒ）とスイッチを設置する。
【発明実施の形態】
【０００５】  中央部が凹型にくぼんだ本体となるマットのくぼみに、必要とする数の小パッドと加温用パッドを装着する。
小パッドと加温用パッドの配列は、身体の加温したい部分に合わせて配列を変更して装着する。
以上の装着を終えたマットレスパッドに身体を横たえ、加温用パッドを身体に巻き付けて装着し通電加温する。加温する温度は、コントローラーにより調整する。
【発明の効果】
【０００６】    遠赤外線は水に浸透して熱を伝達する特性があって皮下深層部の温度を上昇させる作用があるとともに、皮下の微細血管の血液中の水分に吸収されて血液を加温させる効果があり、加温された血液は循環して癌組織が存在する部位の温度を上昇させる。
▲１▼癌患者は、平均体温が１℃ほど低くなっている。医学的にも体温が１℃上昇すると免疫力は６倍になる。
▲２▼加温によって、神経系からエンドルフィンが分泌され免疫能力が高められる。温熱によって免疫系の働きが強化され、リンパ球などが癌細胞を攻撃するようになる。
▲３▼免疫細胞は３７℃〜３８℃で活性が上がる為に、加温によって免疫治療の効果が増強する。癌細胞は熱に弱いこともあり、遠赤外線による温熱療法は癌免疫治療の補助としての効果を発揮する。
▲４▼加温により、血管の少ない癌細胞の血流が悪くなり、癌細胞の酸素濃度が低下する。さらに癌細胞に乳酸が蓄積されてより酸性に傾く。細胞は酸性傾斜するほど熱に弱くなることから、酸性に傾いた癌細胞から死滅する。
▲５▼癌細胞が増殖する基となる遺伝子合成も３９℃〜４０℃の加温で停止する。このようなことから、加温により癌細胞への免疫的効果が高まり、癌の進行や転移を抑制する。
以上のようなことから、癌組織を加温することは、癌治療に大きな効果が期待できる。
【図面の簡単な説明】
【０００７】
【図１】ＡＣＦ癌温熱療法マットの本体の図。
【図２】図１の中央部横面の断面図。
【図３】小パッドの図。
【図４】小パッドの断面図
【図５】加温用パッドの図
【図６】加温用パッドの断面図
【図７】本体に小パッドと加温用パッドを装着した図
【符合の説明】
【０００８】  （１）ＡＣＦ癌温熱療法マットの本体
（２）小パッド
（３）加温用パッド
（４）外側布
（５）中綿
（６）炭素繊維
（７）ニクロム線等の電気による発熱体を配した炭素繊維
（８）アルミ箔
（９）マジックテープ（商品名）
（１０）コントローラー
（１１）電気コード
（１２）プラグ
【図１】
2008161632.tif 000003
【図２】
2008161632.tif 000004
【図３】
2008161632.tif 000005
【図４】
2008161632.tif 000006
【図５】
2008161632.tif 000007
【図６】
2008161632.tif 000008
【図７】
2008161632.tif 000009
(57)【要約】【課題】  人の体表面の圧感覚を検査するために、人の体表面上を内側筒に押す力を加えて圧縮コイルバネを圧縮し、圧縮した距離にバネ定数を乗じて体表面の圧感覚を定量的に測定できる装置を提供する。【解決手段】  圧感覚検査のためには、人の体表面に内側筒（１）に押す力を加えて圧縮コイルバネ（３）を圧縮し、圧縮された距離を外側筒（２）のｍｍ単位の定規（４）上で測定し、バネ定数を乗じることで人の体表面の圧感覚を定量的に測定できるようにしたことを特徴とする。【選択図】図１
2008161649.tif 000002
【特許請求の範囲】
【請求項１】
ｍｍ単位の定規（４）が表示された内径の大きな外側筒（２）の底に圧縮コイルバネ（３）を設置し、内径の小さな内側筒（１）を外側筒（２）の中に挿入した装置で、圧感覚検査には人が体表面に内側筒（１）に押す力を加えて圧縮コイルバネ（３）を圧縮し、圧縮された距離を外側筒（２）のｍｍ単位の定規（４）上で測定し、バネ定数を乗じることで人が体表面を圧した力が測定できるようにしたことを特徴とした簡易圧感覚検査装置。
【発明の詳細な説明】
【技術分野】
【０００１】  本発明は、人の体表面の圧感覚を検査するために、人の体表面に内側筒に押す力を加えて圧縮コイルバネを圧縮し、圧縮した距離にバネ定数を乗じて体表面の圧感覚を定量的に測定できるように工夫したものである。
圧縮された距離を外側筒のｍｍ単位の定規上で測定し、バネ定数を乗じることで圧した力が測定できるように工夫した、簡易圧感覚検査装置に関するものである。
【背景技術】
【０００２】  従来、人の体表面の圧感覚検査器は存在しなかった。
一般病院などでは、触覚検査器や痛覚検査器又は温度感覚検査器等は存在したが、圧感覚に関する特定の検査器はなかった。
圧感覚を検査する時には、分厚い書籍などを人体の検査部位に載せて圧を感じるか否かを問うような検査方法等で行っていた。
【発明が解決しようとする課題】
【０００４】  人の体表面の圧感覚を検査する時には、分厚い書籍などを人の検査部位に載せて圧を感じるか否かを問うような検査方法で行っており、定量的な検査が行われていなかった。
また、圧感覚は触感覚と同様の表在感覚受容器と考えられているので、触感覚を検査することで圧感覚検査の代用として行われていたりした。
しかし、長期に渡りベッド上で臥床が続いている患者や高齢者には「床擦れ」が懸念され、床擦れ多発部位の背部や臀部、踵部などは感覚受容器の分布が小さい部位で触感覚検査でさえ、困難である。
床擦れ予防・防止には、体表面上の床擦れ多発部位の背部や臀部、踵部等における定量的な圧感覚検査が必要不可欠である。
本発明は、これらの課題を解消するためになされたものである。
【課題を解決するための手段】
【０００５】  ｍｍ単位の定規（４）が表示された内径の大きな外側筒（２）の底に圧縮コイルバネ（３）を設置し、内径の小さな内側筒（１）を外側筒（２）の中に挿入した装置である。
圧感覚検査には、人の体表面上を内側筒（１）に押す力を加えて圧縮コイルバネ（３）を圧縮する。圧縮された距離を外側筒（２）のｍｍ単位の定規（４）上で測定し、バネ定数を乗じることで人の体表面上を押した圧力が測定できるようにした。
以上のように構成された簡易圧感覚検査器。
【発明の効果】
【０００６】  廉価で又携帯可能である上に異なる肢位や体位の場面に応じることができる。
寝たきり状態の患者にも仰臥位や側臥位のままベッド上で検査可能である。
又圧縮コイルバネを取り替えることで圧感覚強度の範囲を拡大することができる。
廉価な材料で製作でき、一般病院や家庭でも設置可能であり、誰にでも簡易に圧感覚検査が可能となる。
【発明を実施するための最良の形態】
【０００７】  本検査装置での実施時、内側筒端の人の皮膚に接触する部分には人の皮膚に適合する素材を施すことで適正な検査が可能となる。
【図面の簡単な説明】
【０００８】
【図１】  本発明の斜視図である。
【図２】  本発明の側面図である。
【符号の説明】
【０００９】  １  内側筒
２  外側筒
３  圧縮コイルバネ
４  定規（ｍｍ）
【図１】
2008161649.tif 000003
【図２】
2008161649.tif 000004
(57)【要約】【課題】片手鍋で調理操作する時に、手首にかかる力を軽減する腱鞘炎防止片手鍋を提供する。【解決手段】鍋本体に柄と腕当てを設け、片手鍋を持ち上げる時、手首にかかる力を、柄を握った手と腕当てに添えた腕に分散し、手首にかかる力を軽減することを特徴とする腱鞘炎防止片手鍋。【選択図】図１
2008161650.tif 000002
【特許請求の範囲】
【請求項１】
鍋本体に柄と腕当てを設け、片手鍋を持ち上げる時に手首にかかる力を、柄を握った手と腕当てに添えた腕に分散し、手首にかかる力を軽減することを特徴とする腱鞘炎防止片手鍋。
【発明の詳細な説明】
【技術分野】
【０００１】  本発明は、片手鍋を調理操作するとき、手首にかかる力を手と腕に分散することができる腱鞘炎防止片手鍋に関するものである。
【背景技術】
【０００２】  従来、片手鍋は棒状の柄だけを片手で持ち調理をしていた。特に食材の量が多い場合等は手首に過剰な重量が集中して加わるので、作業は過酷で子供や女性また障害者等には重い片手鍋の調理は敬遠されていた。しかし作業効率が良いので、古来から業務用としては多く使用されている。
【発明の開示】
【発明が解決しようとする課題】
【０００３】  そのために次のような問題点があった。
従来の棒状の柄だけ付いた片手鍋を使用する場合、人間の手、手首、腕の構造から手首に不自然で過剰な力が加わるので、特に重い片手鍋での調理作業は腱鞘炎の原因になっていた。非力な子供や女性また障害者等には、その使用が困難であったので、家庭での使用は敬遠されていた。
本発明は、以上の問題点を解決するためになされたものである。
【課題を解決するための手段】
【０００４】  鍋本体に柄と腕当板を設け、片手鍋を持ち上げる時に手首にかかる力を柄を握った手と腕当板に添えた腕に分散し、手首にかかる力を軽減する。以上を特徴とする腱鞘炎防止片手鍋である。
【発明の効果】
【０００５】  鍋の重量が手、手首、腕にバランス良く配分され、手首に不自然で過剰な力がかからなくなるので、腱鞘炎になりにくく調理作業が楽にできる。
【発明を実施するための最良の形態】
【０００６】  以下本発明の実施の形態について説明する。
（イ）鍋本体（１）の縁に連結部（４）を設ける。
（ロ）連結部（４）に柄（２）を設ける。
（ハ）柄（２）の端末部に連結シャフト（５）を設ける。
（ニ）連結シャフト（５）の端末部に腕当板を設ける。
本発明は以上のような構造からなるので本発明を使用するときは、柄（２）を握り、腕当板（３）に腕を添えて、調理操作をするので持ち上げる時も、柄（２）を握る力と手首の力が弱くても腕当板（３）に添えた腕に力が分散するので、腱鞘炎になりにくく楽に調理ができる。
【図面の簡単な説明】
【０００７】
【図１】  本発明の斜視図
【図２】  他の実施例の斜視図
【符号の説明】
【０００８】    １鍋本体
２柄
３腕当板
４連結部
５連結シャフト
６手
７腕
【図１】
2008161650.tif 000003
【図２】
2008161650.tif 000004
(57)【要約】【課題】  同色同種の糸を巻いた、ボビンとミシン糸巻きを探す手間の解消および、整然と保管するために、ミシン糸の頭部にボビンを装着し一体にして保管できるミシン糸巻きを提供する。【解決手段】  ミシン糸巻き（１）の頭部にボビン（３）の底面部分の外周に合わせて、先端を内側に曲げたボビン装着用の爪を（２）複数個設け、ボビン（３）の底面部分をボビン装着用の爪（２）の間にはめ込み装着することによって、ミシン糸巻き（１）とボビン（３）を一体にして保管できることを特徴とするミシン糸巻き。また、前記のボビン装着用の爪を備えたキャップ（７）を、従来のミシン糸巻きに取り付けることによって、従来のミシン糸巻きにボビン（３）を装着できるように構成されているキャップ。【選択図】図１
2008161625.tif 000002
【特許請求の範囲】
【請求項１】
ミシン糸巻きの頭部にボビンの底面部分の外周に合わせて、先端を内側方向に曲げたボビン装着用の爪を複数個設け、その爪の間にボビンの底面部分をはめ込みボビン装着できるように構成されていることを特徴とするミシン糸巻き。
【請求項２】
上記のボビン装着用の爪を設けたキャップを、従来のミシン糸巻きに装着することにより、従来のミシン糸巻きにボビンを装着できるように構成されていることを特徴とするキャップ。
【発明の詳細な説明】
【技術分野】
【０００１】  本発明は、ミシン糸巻き頭部にボビンを装着し、一体にして保管できるようにして、収納および、取り出しを容易にしたものである。
【背景技術】
【０００２】  ミシンを使用する時は、同色同種の上糸と下糸が必要であるが、従来、ミシン糸巻きとボビンは別々に保管されるまたは、接続器具を使用してつなぎ止め、保管する方法があった。
【発明の開示】
【発明が解決しようとする課題】
【０００３】  そのために、次のような問題点があった。
（イ）ボビン保管ケースおよび、接続器具が別に必要であった。また、接続器具はミシンで使用するときにはずさなければならない及び、業務用ミシン糸巻きには使用できないという欠点があった。
（ロ）別々に保管することにより、同色同種の糸を巻いたボビンとミシン糸巻きを、取り出す際に探し出す手間があり不便であった。
（ハ）ボビンには、糸の先端を止める糸止めが付いておらず、収納のときに糸の先端が乱れて乱雑になっていた。
本発明は、以上の問題点を解決するものである。
【課題を解決するための手段】
【０００４】  ミシン糸巻き（１）の頭部にボビン（３）の底面部分の外周に合わせて、先端を内側方向に曲げたボビン装着用の爪（２）を複数個設ける。そして、ボビン（３）の底面部分ボビン装着用の爪（２）の間にはめ込んで、ミシン糸巻き（１）とボビン（３）を装着できるようにした。その時、ミシン糸巻きの穴（４）とボビンの穴（５）の位置が一致する。まそして、ミシン糸巻き上部に糸止め用切込み（６）を設けて、ミシン糸巻き（１）とボビン（３）に巻かれた糸の先端を挟み、糸止めができるようにした。
また、上記のボビン装着用の爪（２）を設けたミシン糸巻き頭部に取り付けるキャップ（７）を、従来のミシン糸巻きに取り付けることにより、同様の効果を持つことができる。
【発明の効果】
【０００５】（イ）ボビン保管ケースおよび接続器具が必要なく、使用するときに接続器具を取り外す手間が要らない。そして、業務用ミシン糸巻きでも使用できる。
（ロ）同色同種の糸を巻いたボビンとミシン糸巻きを、一緒に保管できるため、取り出す際の手間が解消される。
（ハ）ボビンの糸を、糸止め用切込みに止めることにより、糸が乱れることなく整然と保管することができる。
【図面の簡単な説明】
【０００６】
【図１】本発明の使用状態を示す斜視図である。
【図２】本発明の使用状態を示す平面図である。
【図３】本発明をキャップにした斜視図である。
【符号の説明】
【０００７】    １  ミシン糸巻き
２  ボビン装着用の爪
３  ボビン
４  ミシン糸巻きの穴
５  ボビンの穴
６  糸止め用切込み
７  キャップ
【図１】
2008161625.tif 000003
【図２】
2008161625.tif 000004
【図３】
2008161625.tif 000005
(57)【要約】      （修正有）【課題】ボールをどの方向へも視覚的に違和感無く打てるようなゴルフ練習マットを提供する。【解決手段】人口芝のマット６とプレーヤーが立つマット１１、それらを固定するベース共に曲線の外形からなり、直線部分を持たないことで、違和感なく練習場のグリーンなどの目標地点に向けて打ち出せることを特徴としたゴルフ練習マット。【選択図】図２
2008161624.tif 000002
【特許請求の範囲】
【請求項１】
外形が曲線からなる形状をし、視覚的に打ち出す方向を強いられないことを特徴としたゴルフ練習マット。
【発明の詳細な説明】
【技術分野】
【０００１】この発明は、ゴルフ練習場に設置されるゴルフ練習マットに関する。
【背景技術】
【０００２】従来のゴルフ練習場に設置されるゴルフ練習マットは、人工芝のマットを長方形にカットしたものである。
【発明の開示】
【発明が解決しようとする課題】
【０００３】しかしながら、以上の技術によれば、図１に示すように、マット（１）が長方形であるが故に、ボール（２）及び（３）の打ち出す方向（４）及び（５）を強いられた感じがしてしまう。又、その方向が練習場に設けられたグリーン上のピンの方向と違う場合、違和感を覚える場合があった。
そこで、この発明は、ボールをどの方向へも視覚的に違和感無く打てるようなゴルフ練習マットを提供することを課題とする。
【課題を解決するための手段】
【０００４】以上の課題を解決するために、図２に示すように、直線部分を持たない人口芝のマット（６）とプレーヤーが立つマット（１１）、それらを固定するベース（１４）、からなり、ゴルフボールに集中したプレーヤーの視界に直線部分がないことを特徴としたゴルフ練習マットである。
【発明の効果】
【０００５】この発明によれば、プレーヤーがボールを打つ場合、ゴルフ練習マットの形状から、ボールを打ち出す方向を強いられる気持ちを抱くことなく、練習場に設けられたグリーンのピンなどの目標地点を自由に選んで（１２）や（１３）の立つ位置から（９）や（１０）の方向に違和感なく狙ってボールを打ち出すことが出きるので、より実践的な練習が可能となる。
又、どの打席でも、打ち出す方向に違和感を抱くことがなく練習出来る練習場が可能となる。
【発明を実施するための最良の形態】
【０００６】この発明の一実施形態を図２に示す。曲線の外形を持つ人工芝マット（６）と、プレーヤーが立つマット（１１）がやはり曲線の外形を持つベース（１４）に固定され、ボールに集中したプレーヤーの視界に直線部分がないことを特徴とする
【実施例】
【０００７】マット（６）をティーショット用のマットとフェアウェイショット用のマットに外形を曲線にして分割してもよい。また、プレーヤーの後方など、ボールを打とうとした時に、視界に入らないところは直線があってもよい。
【図面の簡単な説明】
【０００８】
【図１】従来のゴルフ練習場の打席の平面図である。
【図２】この発明の実施形態を示す平面図である。
【符号の説明】
１  従来のゴルフ練習場の人口芝のマット
２  ゴルフボール
３  ティー上のゴルフ
４  打ち出す方向
５  打ち出す方向
６  この発明が提供するゴルフ練習場の人工芝のマット
７  ゴルフボール
８  ティー上のゴルフボール
９  打ち出す方向
１０  打ち出す方向
１１  人の立つマット
１２  プレーヤーの立つ位置
１３  プレーヤーの立つ位置
１４  マットを固定するベース
【図１】
2008161624.tif 000003
【図２】
2008161624.tif 000004
(57)【要約】      （修正有）【課題】一般の家庭や大衆の食堂などに於いて食事をする場合に箸置きを普通使用しないことが多いので其の為に箸を置くのに苦労する、テーブルに置くと不衛生でしかも汚い又食品の入っている容器の上に箸を置くにも物があって置けないので不便を感じ困っていた。【解決手段】食事の時に皿は必要なものであるが従来皿はものを入れるだけの為の容器であった、其の皿に物を入れるだけでなく用途を広げて箸置きとしても使いたいと考えた其処で皿の一部を外側に張り出しその張り出した所に窪みを付けて箸を置く様にした物を入れる用途と箸も置く事の出来る二つの用途を備えた皿になった。同じく皿の一部にへこみを付けて其処に箸の先を置く事により其の皿は物を入れる事と箸を置くことの出来る二つの用途を備えた皿となった。【選択図】図１
2008161629.tif 000002
【特許請求の範囲】
【請求項１】
皿に箸置きの機能を付け加えた皿
【発明の詳細な説明】
【技術分野】
【０００１】食器の皿に関するもの
【背景技術】
【０００２】従来の皿の用途は只物を入れるだけのものであった、又箸置きは箸を置くだけのものであったがその別々の用途のものを、この皿は物（食品）を入れると同時に箸も一諸にその皿に置く事が出来る両方の機能を持たせた
【発明の開示】
【０００３】食事の時に箸の置く場所に悩んでいたので皿に箸を置く機能を付けた
【発明が解決しょうとする課題】
【０００４】従来は食事の時一般の家庭や大衆の食堂などでは普通は箸置きが用意されて居ないのが普通である
其の為に食事の時に箸置きが無いと箸の置き場に困っていた、なぜ困るかというと箸を直接テーブルに置くと箸にゴミが付着して不衛生であり又テーブルを汚して汚いものである、そこで箸の置き場所を、又置き方おも考えた。
食事の時に常に使用している皿と箸置きを組み合わせて皿に食物を入れる機能と箸を置く機能との両方の機能を一つにした皿を製作した
【課題を解決するための手段】
【０００５】第１  皿の一部を外に張り出させ其処に箸を置くようにする、箸の先を置けば良い
第２  皿の一部に切り込みを入れる、そこに箸の先を置けば良い
両方ともデザインは考慮する
【発明の効果】
【０００６】実際に見本の皿を作り食事の時に使用して見たが箸を置くのに困っていたものがこの皿によって解決出来た
【発明が実施するための最良の形態】
【０００７】以下発明の実施の形態を図１〜図２に基づいて説明をする
【０００８】図１に於いては従来の皿の一部を外側に張り出し、張り出した上の部分に溝をつけて箸を置くようにした
図２では皿の一部を切り取り（へこます）事により其処に箸の先を架ける様にして箸を置くことが出来る皿にした
【実施例】
【０００９】この発明の皿を作り使用してみたが結果は両方とも良好であった
【産業上利用可能性】
【０００１０】不便であり不衛生であり困っていたことが解決し、又一つ皿で本来の皿の機能と箸置きの機能を達成さすこたができる
この皿は製作には手間も費用も従来と変わらないので利用の可能性は有ると思われる
【図面の簡単な説明】
【００１１】
【図１】皿の一部を外に張り出して其処の張り出した部分に箸を置くことが出来る事にした皿の図
【図２】皿の一部を切り取り其処の部分に箸のさきを置ける様にした皿
【図１】
2008161629.tif 000003
【図２】
2008161629.tif 000004
(57)【要約】【課題】  人が下肢関節固有感覚促通運動を簡便に行うために、下駄型ローラーペダルに足部を載せ４本の鼻緒を５本の足指で挟み込み、足指筋力強化運動を行えるのと同時に自由に床面を滑走させて股関節、膝関節、足関節の運動制御の練習となるように工夫した運動装置を提供する。【解決手段】  底の４隅にローラーを設置した下駄型ペダルに足部を載せて４本の鼻緒に足指５本で挟み込み、足指筋力強化運動と床面滑走運動が合わせてできることを特徴とする。【選択図】図１
2008161651.tif 000002
【特許請求の範囲】
【請求項１】
４本の鼻緒の設置された下駄型ローラーペダルに足を載せ５本の足指で鼻緒を挟み込み床面滑走運動をしやすくして自由に床面を滑走させて股関節、膝関節、足関節の各関節の運動制御の練習装置となるように工夫した下肢関節固有感覚促通運動装置。
【発明の詳細な説明】
【技術分野】
【０００１】  本発明は、人が下肢関節固有感覚促通運動を簡便に行うために、底の４隅にローラーを設置した下駄型ペダルに足部を載せて４本の鼻緒を足指５本で挟み込み、足指でのペダルの固定力を強化し、床面滑走運動をしやすい様に工夫したものである。
また４本の鼻緒を足指５本で挟み続けることで足指把握力・足指内転筋力の筋力強化運動も同時に実施可能とした運動装置に関するものである。
【背景技術】
【０００２】  従来、人の股関節、膝関節、足関節の関節固有感覚の促通練習としては、医療機器やリハビリテーション関連機器としてコンピューター内臓のものが存在した。
このような機器は、使用操作が煩雑で又高額な機器が多く、さらに機器が大きく設置には広い場所を必要とした。
特定の研究機関や大学病院などに設置されているのみで一般病院や学校などではほとんど設置されていない。
【発明が解決しようとする課題】
【０００４】  人の股関節、膝関節、足関節の関節固有感覚の促通練習をするには、高価な測定機器を所有しなければならず、又コンピューター内臓の運動機器が多いため操作に要する設定や方法が煩雑であった。
さらに運動機器が大きく設置や扱いに困難な場合があった。
本発明は、これらの課題を解消するためになされたものである。
【課題を解決するための手段】
【０００５】  ４本の鼻緒の設置された下駄型ローラーペダルに足部を載せ５本の足指で鼻緒を挟み込み、足指でペダルの固定力を強化し床面滑走運動をしやすくし、ペダルで自由に床面を滑走させて股関節、膝関節、足関節の各関節の運動制御の練習装置となるように工夫した下肢関節固有感覚促通運動装置。下駄型ローラーペダルの底には４隅にローラーが設置されており、床面を滑走し易く設計されている運動装置。
下駄型ローラーペダルに足部を載せて４本の鼻緒に足指５本を差し込み、挟み続けることで足指把握力・足指内転筋力の筋力強化運動も同時に実施可能であることを特徴とした運動装置である。
【発明の効果】
【０００６】  廉価で又携帯可能である上に異なる肢位や体位の場面に応じることができる。
下肢に変形性関節症等の疾患を持つ患者にも座位での運動で適応でき、さらに寝たきり状態の患者にも仰臥位のままボードをベッド上に設置することで使用可能である。
【発明を実施するための最良の形態】
【０００７】  座位又は立位で両足に本ペダルを履き、左右の下肢で同時に運動を実施することで両側下肢での協調性運動にもなる。
さらに、椅子座位になり前方に同様の本ペダルを履いた相手を椅子座位させてパックを蹴り合う運動でさらに高いレベルの下肢関節固有感覚促通運動が期待できる。
【図面の簡単な説明】
【０００８】
【図１】  本発明の斜視図である。
【図２】  本発明の側面図である。
【図３】  本発明の裏面図である。
【符号の説明】
【０００９】  １  下駄型ペダル本体
２  鼻緒
３  ローラー
４  鼻緒穴
【図１】
2008161651.tif 000003
【図２】
2008161651.tif 000004
【図３】
2008161651.tif 000005
(57)【要約】      （修正有）【課題】  ノートパソコンを肩から下げて作業をすることにより、作業員の疲労が軽減され、作業の効率化をはかり、落下の恐れを軽減できる。そして、測量では、トランシットの側にノートパソコン設置台を置くことにより、トランシットを見る人が、そのままノートパンコンを操作することにより、人員を３人から２人で作業ができる環境を提供する。【解決手段】三脚１にノートパソコン設置台２をボルト３とナット４で固定する。更に、ノートパソコン設置台２には、雨よけ様カバー５を設けたことを特徴とする。【選択図】図２
2008161655.tif 000002
【特許請求の範囲】
【請求項１】
▲１▼三脚（１）にノートパソコン設置台（２）をボルト（３）とナット（４）で固定。
▲２▼ノートパソコン設置台（２）には、雨よけ様カバー（５）がついた。
以上を備えた雨よけカバー付き三脚取付式ノートパソコン設置台。
【発明の詳細な説明】
【０００１】この発明は、雨よけカバーが付いた、三脚に取付ができるノートパソコン設置台に関するものである。
【背景技術】
【０００２】  従来は、野外で、ノートパソコンを操作する時には、ノートパソコンのカバンを肩から帯状のもので吊るして、作業を行っていた。
【発明の開示】
【発明が解決しようとする課題】
【発明が解決しようとする課題】
【０００３】  これには、次のような欠点があった。
ノートパソコンを作業中いつも肩から下げて移動するので、重く、ノートパソコンを落とす恐れがあったし、測量で作業をする際、トランシットを見る人、スッタフマンとノートパソコンを操作する人の三人が必要であったが、本発明はこれらの欠点を解決する為になされたものである。
【課題を解決するための手段】
【０００４】  三脚（１）にノートパソコン設置台（２）をボルト（３）とナット（４）で固定し、ノ  ートパソコン設置台（２）には、雨よけ様カバー（５）を設けた。
以上を備えた雨よけカバー付き三脚取付式ノートパソコン設置台。
【発明の効果】
【０００５】  ノートパソコンを肩から下げないので、作業員の疲労が軽減され、ノートパソコンを設置台に固定するので、落下の恐れを軽減できる。そして、トランシットの側にノートパソコン設置台を置くことにより、トランシットを見る人が、そのままノートパソコンを操作することにより、スタッフマンとトランシットを見る人の２人で作業ができる。
【発明を実施するための最良の形態】
【０００６】  ノートパソコン設置台（２）に、雨よけ様カバー（５）を設け、ノートパソコン設置台の下にボルト固定板（６）とボルトを入れるための溝（７）を設ける。
本発明は、以上のような構造で、これを使用する時は、
▲１▼ノートソコン設置台（２）下のボルトを入れるための溝（７）にボルト（３）を入れ、ボルト固定板（６）を通します。ノートソコン設置台（２）に通したボルト（３）を三脚（１）に通して、三脚（１）の下からナット（４）で固定します。
【図面の簡単な説明】
【０００７】
【図１】  本発明の構造をあらわした斜視図である。
【図２】  本発明の構造をあらわした断面図である。
【符号の説明】
【０００８】１．    三脚
２．    ノートパソコン設置台
３．    ボルト
４．    ナット
５．    雨よけ様カバー
６．    ボルト固定板
７．    ボルトを入れるための溝
【図１】
2008161655.tif 000003
【図２】
2008161655.tif 000004